(57)【要約】【課題】箱の開封と同時に、箱が開封済みであることを簡単に表示する。【解決手段】この箱Ｂ１は、破断線Ｃ１が正面板１２の切り取り線Ｃ１１と外蓋２０の切り取り線Ｃ１２とからなり、この破断線Ｃ１により、正面板１２の一部が破断部１２１として切り離し可能に形成されるとともに、外蓋２０の一部がタグ２０１として立ち上がり可能に形成され、箱Ｂ１の開封に際し、正面板１２の破断部１２１を外蓋２０とともに破断線Ｃ１に沿って正面板１２から切り離すことにより、外蓋２０が開封されると同時に、外蓋２０の一部が箱Ｂ１の開封済みを表すタグ２０１として立ち上げられる。【選択図】図２
2019209993.tif 000002
【特許請求の範囲】
【請求項１】
箱の長手方向両端の少なくとも一方が物品を取り出すための開口で、前記開口は相互に対向する２側面板の一方の側面板の端縁部から延びる内蓋と、他方の側面板の端縁部から延び、前記内蓋の上に接着剤を介して接着される外蓋とにより封止され、前記他方の側面板と前記外蓋との間に破断線を有し、前記外蓋を前記破断線に沿って前記他方の側面板から切り離すことによって開封する形式の包装用箱であって、
前記破断線は、前記他方の側面板の前記外蓋側の端部に、前記他方の側面板の端縁部の一端と、前記他方の側面板の端縁部の両端間の任意の中間点とを切り込み端として略溝形形状に切り込まれる前記他方の側面板の切り取り線と、前記外蓋に、前記他方の側面板の切り取り線の前記任意の中間点の前記切り込み端に連続して前記他方の側面板の前記切り取り線から離れる方向に前記他方の側面板の端縁部に隣接する前記外蓋の側縁部まで略Ｌ字形に切り込まれる前記外蓋の切り取り線とからなり、
前記破断線により、前記他方の側面板の切り取り線と前記他方の側面板の端縁部とで囲まれる前記他方の側面板の一部が破断部として前記他方の側面板から切り離し可能に形成されるとともに、前記外蓋の切り取り線と前記他方の側面板の端縁部とで囲まれる前記外蓋の一部が前記破断部の切り離しに続けて前記外蓋を前記外蓋の切り取り線に沿って前記他方の側面板から切り離すことによりタグとして立ち上がり可能に形成され、
箱の開封に際し、前記他方の側面板の前記破断部を前記外蓋とともに前記破断線に沿って前記他方の側面板から切り離すことにより、前記外蓋が開封されると同時に、前記外蓋の一部が箱の開封済みを表すタグとして立ち上げられる、
ことを特徴とする開封済表示タグ付き包装用箱。
【請求項２】
箱の長手方向両端の少なくとも一方が物品を取り出すための開口で、前記開口は相互に対向する２側面板の一方の側面板の端縁部から延びる内蓋と、他方の側面板の端縁部から延び、前記内蓋の上に接着剤を介して接着される外蓋とにより封止され、前記他方の側面板と前記外蓋との間に破断線を有し、前記外蓋を前記破断線に沿って前記他方の側面板から切り離すことによって開封する形式の包装用箱であって、
前記破断線は、前記他方の側面板の前記外蓋側の端部に、前記他方の側面板の端縁部の両端間の任意の２点を切り込み端として略溝形形状に切り込まれる前記他方の側面板の切り取り線と、前記外蓋に、前記他方の側面板の切り取り線の前記２点の前記切り込み端に連続して前記他方の側面板の切り取り線から離れる方向に前記他方の側面板の端縁部に隣接する前記外蓋の各側縁部まで略Ｌ字形に切り込まれる前記外蓋の２本の切り取り線とからなり、
前記破断線により、前記他方の側面板の切り取り線と前記他方の側面板の端縁部とで囲まれる前記他方の側面板の一部が破断部として前記他方の側面板から切り離し可能に形成されるとともに、前記外蓋の２本の切り取り線と前記他方の側面板の端縁部とで囲まれる前記外蓋の２箇所の各部が前記破断部の切り離しに続けて前記外蓋を前記外蓋の各切り取り線に沿って前記他方の側面板から切り離すことによりタグとして立ち上がり可能に形成され、
箱の開封に際し、前記他方の側面板の前記破断部を前記外蓋とともに前記破断線に沿って前記他方の側面板から切り離すことにより、前記外蓋が開封されると同時に、前記外蓋の２箇所の各部がそれぞれ箱の開封済みを表すタグとして立ち上げられる、
ことを特徴とする開封済表示タグ付き包装用箱。
【請求項３】
タグを他方の側面板から切り取り可能に他方の側面板の端縁部上で前記他方の側面板と前記タグとの間にタグ切り取り線が切り込まれる請求項１又は２に記載の開封済表示タグ付き包装用箱。
【請求項４】
外蓋のタグの位置に対応する内蓋の一部に開封済みの文字又は開封済みを意味する表記が付され、前記タグの立ち上がりとともに、前記内蓋の前記開封済みの文字又は開封済みを意味する表記が表示される請求項１乃至３のいずれかに記載の開封済表示タグ付き包装用箱。
【請求項５】
他方の側面板の外蓋側の端部に前記他方の側面板の切り取り線に隣接して前記外蓋側の端部のさらに一部を開口部として切り取り可能に前記他方の側面板の開口部切り取り線が切り込まれ、内蓋の先端に差し込み片を有し、前記差し込み片の前記他方の側面板の前記開口部に対応する部分に開封済みの文字又は開封済みを意味する表記が付され、前記他方の側面板の前記外蓋側の端部の一部を前記開口部切り取り線に沿って切り取ることにより、前記差し込み片の前記開封済みの文字又は開封済みを意味する表記が表示される請求項１乃至３のいずれかに記載の開封済表示タグ付き包装用箱。
【請求項６】
破断部を他方の側面板から切り取り可能に前記他方の側面板の端縁部上で外蓋と前記破断部との間に破断部切り取り線が切り込まれ、内蓋の先端に差し込み片を有し、前記差し込み片の前記破断部に対応する部分に開封済みの文字又は開封済みを意味する表記が付され、前記破断部の切り離しにより、前記差し込み片の前記開封済みの文字又は開封済みを意味する表記が表示される請求項１乃至３のいずれかに記載の開封済表示タグ付き包装用箱。
【請求項７】
内蓋、外蓋に隣接してフラップを対にして設けられ、前記外蓋のタグの位置に対応する前記内蓋の一部に窓が開口され、前記外蓋のタグの位置に対応する前記フラップに開封済みの文字又は開封済みを意味する表記が付され、前記タグの立ち上がりとともに、前記フラップの前記開封済みの文字又は開封済みを意味する表記が前記内蓋の前記窓を通して表示される請求項１乃至３のいずれかに記載の開封済表示タグ付き包装用箱。
【発明の詳細な説明】
【技術分野】
【０００１】
本発明は、医薬品その他各種の物品を包装するのに使用する包装用箱に関し、特に、保管棚や保管ケースに保管中の包装用箱から開封済みのものを即時に視認できるようにした開封済表示タグ付き包装用箱に関する。
【背景技術】
【０００２】
一般に、病院や調剤薬局などの医療機関では、包装用箱に包装された医薬品が包装用箱に入れられた状態で、保管棚や保管ケースなどの医薬品の保管場所に保管される。
【０００３】
この種の包装用箱は、特許文献１、２などに開示されているように、基本構成として、正面、背面、左右両側面の４側面と、左右両側面の上下各端部からそれぞれ４側面の上下開口上に延びるフラップと、正面、背面の上下各端部から４側面の上下開口上を塞ぐ天面蓋及び底面蓋とを備え、全体が縦長又は横長の直方体状の箱形に構成される。この場合、医薬品の中でも、錠剤やカプセルなどを包装する箱にあっては、錠剤やカプセルが複数個ずつ１枚のＰＴＰシートに収納され、さらにアルミ包材パックに封入されるので、全体として、複数枚単位のＰＴＰシート全体又はアルミ包材パック全体の大きさ、形状に適合する大きさの直方体形状に形成され、液状の薬剤にあっては、薬剤がバイアルなどに収納されるので、全体として、バイアルなどの大きさ、形状に適合する大きさの直方体形状に形成され、さらに箱内部には緩衝材が付設される。
このように医薬品の包装用箱は全体が縦長又は横長の直方体状の箱形になっているので、医療機関では、これらの医薬品が、保管棚には箱の長手方向を保管棚の奥行き方向に向けて横置きにして多段的に積み重ねられ、保管ケースの引き出しの中には箱の長手方向を引き出しの上下方向に向けて縦置きにして並列に並べられて、保管される。
【０００４】
ところで、医療機関では、保管棚や保管ケースの引き出しの中に、多くの種類の医薬品が保管され、また、同じ種類の医薬品でも包装用箱が既に開封済みで現在使用中のものと新品で箱が未開封のものとが混在されている。そして、医療機関では、当然のことながら、開封済みの箱の医薬品から使用していき、この箱内の医薬品がなくなれば、未開封の箱を開封して医薬品を取り出すため、医薬品の入った箱から医薬品を取り出す場合は、その都度、開封済みの箱かどうかを確認するのが通常である。この場合、開封済みの箱であることを視認しやすいように、箱に、油性ペンなどを使って開封済みと分かるような文字やマークを書き入れたり、輪ゴムを掛けたりしておくことが多い。
このように医療機関では、医薬品の保管場所に、同じ種類の医薬品でも、箱が開封済みのものと未開封のものが混在されることから、医薬品毎に箱が開封済みか未開封かを確認する必要があり、この確認を容易にするために、箱に油性ペンなどで開封済みと分かるような文字やマークを書き入れたり輪ゴムを掛けたりするなど道具を使った煩わしい作業を行わなければならない。
また、この場合、医薬品は、既述のとおり、保管棚には箱の長手方向を奥行き方向に向けて横置きにして多段的に積み重ねられて、保管棚上の各医薬品の箱は面積の小さい天面蓋又は底面蓋が前方に向けられるため、また、保管ケースの引き出しの中には箱の長手方向を引き出しの上下方向に向けて縦置きにして並列に並べられて、引き出しの中の各医薬品の箱は面積の小さい天面蓋又は底面蓋が上方に向けられるため、箱の開封済みの文字やマークは箱の天面蓋又は底面蓋に表示する必要がある。
【０００５】
そこで、従前、本願出願人は、この種の包装用箱において、箱の開封後に開封済みであることを簡単に表示でき、保管棚や保管ケースに保管中の箱から開封済みのものを即時視認できる開封済表示付き包装用箱を、特許文献３により、提案している。
この文献３の包装用箱は、箱の長手方向両端の少なくとも一方に外側の板と内側の板とを備え、外側の板の一部に切り取り部を有し、外側の板の切り取り部の切り取り後の外部に現れる内側の板の面に開封済みの文字又は開封済みを意味する表記を有し、箱を開封する際に、切り取り部を切り取り、箱の長手方向両端の少なくとも一方に開封済みの文字又は開封済みを意味する表記を外部に表示するようにして、開封後に箱の長手方向両端の少なくとも一方に開封済みであることを簡単に表示でき、保管棚や保管ケースに保管中の箱の中から開封済みの箱であることを即時視認できるようにしてある。
【先行技術文献】
【特許文献】
【０００６】
【特許文献１】特開２０１４−１４１２７６号公報
【特許文献２】特開２００６−９６３５１号公報
【特許文献３】実用新案登録第３２０６１２５号公報
【発明の概要】
【発明が解決しようとする課題】
【０００７】
しかしながら、上記特許文献３の包装用箱では、箱の長手方向両端の少なくとも一方に開封済みの文字又は開封済みを意味する表記を外部に表示するために、箱を開封する際に、箱の開封とは別に、外側の板の一部の切り取り部を切り取らなければならず、言わば、２度手間の作業となる、という問題がある。
【０００８】
本発明は、このような従来の問題に鑑みなされたもので、この種の包装用箱において、箱の開封と同時に、箱が開封済みであることを簡単に表示でき、保管棚や保管ケースに保管中の箱から開封済みのものを即時視認できるようにすること、を目的とする。
【課題を解決するための手段】
【０００９】
上記目的を達成するために、本発明（１）は、
箱の長手方向両端の少なくとも一方が物品を取り出すための開口で、前記開口は相互に対向する２側面板の一方の側面板の端縁部から延びる内蓋と、他方の側面板の端縁部から延び、前記内蓋の上に接着剤を介して接着される外蓋とにより封止され、前記他方の側面板と前記外蓋との間に破断線を有し、前記外蓋を前記破断線に沿って前記他方の側面板から切り離すことによって開封する形式の包装用箱であって、
前記破断線は、前記他方の側面板の前記外蓋側の端部に、前記他方の側面板の端縁部の一端と、前記他方の側面板の端縁部の両端間の任意の中間点とを切り込み端として略溝形形状に切り込まれる前記他方の側面板の切り取り線と、前記外蓋に、前記他方の側面板の切り取り線の前記任意の中間点の前記切り込み端に連続して前記他方の側面板の前記切り取り線から離れる方向に前記他方の側面板の端縁部に隣接する前記外蓋の側縁部まで略Ｌ字形に切り込まれる前記外蓋の切り取り線とからなり、
前記破断線により、前記他方の側面板の切り取り線と前記他方の側面板の端縁部とで囲まれる前記他方の側面板の一部が破断部として前記他方の側面板から切り離し可能に形成されるとともに、前記外蓋の切り取り線と前記他方の側面板の端縁部とで囲まれる前記外蓋の一部が前記破断部の切り離しに続けて前記外蓋を前記外蓋の切り取り線に沿って前記他方の側面板から切り離すことによりタグとして立ち上がり可能に形成され、
箱の開封に際し、前記他方の側面板の前記破断部を前記外蓋とともに前記破断線に沿って前記他方の側面板から切り離すことにより、前記外蓋が開封されると同時に、前記外蓋の一部が箱の開封済みを表すタグとして立ち上げられる、
ことを要旨とする。
この場合、タグは外蓋に略台形状に角を丸くして形成されることが好ましい。
この場合、タグを他方の側面板から切り取り可能に他方の側面板の端縁部上で前記他方の側面板と前記タグとの間にタグ切り取り線が切り込まれることが好ましい。
また、この包装用箱はさらに次の構成のいずれかを備えることが望ましい。
（イ）外蓋のタグの位置に対応する内蓋の一部に開封済みの文字又は開封済みを意味する表記が付され、前記タグの立ち上がりとともに、前記内蓋の前記開封済みの文字又は開封済みを意味する表記が表示される。
（ロ）他方の側面板の外蓋側の端部に前記他方の側面板の切り取り線に隣接して前記外蓋側の端部のさらに一部を開口部として切り取り可能に前記他方の側面板の開口部切り取り線が切り込まれ、内蓋の先端に差し込み片を有し、前記差し込み片の前記他方の側面板の前記開口部に対応する部分に開封済みの文字又は開封済みを意味する表記が付され、前記他方の側面板の前記外蓋側の端部の一部を前記開口部切り取り線に沿って切り取ることにより、前記差し込み片の前記開封済みの文字又は開封済みを意味する表記が表示される。
（ハ）破断部を他方の側面板から切り取り可能に前記他方の側面板の端縁部上で外蓋と前記破断部との間に破断部切り取り線が切り込まれ、内蓋の先端に差し込み片を有し、前記差し込み片の前記破断部に対応する部分に開封済みの文字又は開封済みを意味する表記が付され、前記破断部の切り離しにより、前記差し込み片の前記開封済みの文字又は開封済みを意味する表記が表示される。
（ニ）内蓋、外蓋に隣接してフラップを対にして設けられ、前記外蓋のタグの位置に対応する前記内蓋の一部に窓が開口され、前記外蓋のタグの位置に対応する前記フラップに開封済みの文字又は開封済みを意味する表記が付され、前記タグの立ち上がりとともに、前記フラップの前記開封済みの文字又は開封済みを意味する表記が前記内蓋の前記窓を通して表示される。
【００１０】
上記目的を達成するために、本発明（２）は、
箱の長手方向両端の少なくとも一方が物品を取り出すための開口で、前記開口は相互に対向する２側面板の一方の側面板の端縁部から延びる内蓋と、他方の側面板の端縁部から延び、前記内蓋の上に接着剤を介して接着される外蓋とにより封止され、前記他方の側面板と前記外蓋との間に破断線を有し、前記外蓋を前記破断線に沿って前記他方の側面板から切り離すことによって開封する形式の包装用箱であって、
前記破断線は、前記他方の側面板の前記外蓋側の端部に、前記他方の側面板の端縁部の両端間の任意の２点を切り込み端として略溝形形状に切り込まれる前記他方の側面板の切り取り線と、前記外蓋に、前記他方の側面板の切り取り線の前記２点の前記切り込み端に連続して前記他方の側面板の切り取り線から離れる方向に前記他方の側面板の端縁部に隣接する前記外蓋の各側縁部まで略Ｌ字形に切り込まれる前記外蓋の２本の切り取り線とからなり、
前記破断線により、前記他方の側面板の切り取り線と前記他方の側面板の端縁部とで囲まれる前記他方の側面板の一部が破断部として前記他方の側面板から切り離し可能に形成されるとともに、前記外蓋の２本の切り取り線と前記他方の側面板の端縁部とで囲まれる前記外蓋の２箇所の各部が前記破断部の切り離しに続けて前記外蓋を前記外蓋の各切り取り線に沿って前記他方の側面板から切り離すことによりタグとして立ち上がり可能に形成され、
箱の開封に際し、前記他方の側面板の前記破断部を前記外蓋とともに前記破断線に沿って前記他方の側面板から切り離すことにより、前記外蓋が開封されると同時に、前記外蓋の２箇所の各部がそれぞれ箱の開封済みを表すタグとして立ち上げられる、
ことを要旨とする。
この場合、タグは外蓋に略台形状に角を丸くして形成されることが好ましい。
この場合、タグを他方の側面板から切り取り可能に他方の側面板の端縁部上で前記他方の側面板と前記タグとの間にタグ切り取り線が切り込まれることが好ましい。
また、この包装用箱はさらに次の構成のいずれかを備えることが望ましい。
（イ）外蓋のタグの位置に対応する内蓋の一部に開封済みの文字又は開封済みを意味する表記が付され、前記タグの立ち上がりとともに、前記内蓋の前記開封済みの文字又は開封済みを意味する表記が表示される。
（ロ）他方の側面板の外蓋側の端部に前記他方の側面板の切り取り線に隣接して前記外蓋側の端部のさらに一部を開口部として切り取り可能に前記他方の側面板の開口部切り取り線が切り込まれ、内蓋の先端に差し込み片を有し、前記差し込み片の前記他方の側面板の前記開口部に対応する部分に開封済みの文字又は開封済みを意味する表記が付され、前記他方の側面板の前記外蓋側の端部の一部を前記開口部切り取り線に沿って切り取ることにより、前記差し込み片の前記開封済みの文字又は開封済みを意味する表記が表示される。
（ハ）破断部を他方の側面板から切り取り可能に前記他方の側面板の端縁部上で外蓋と前記破断部との間に破断部切り取り線が切り込まれ、内蓋の先端に差し込み片を有し、前記差し込み片の前記破断部に対応する部分に開封済みの文字又は開封済みを意味する表記が付され、前記破断部の切り離しにより、前記差し込み片の前記開封済みの文字又は開封済みを意味する表記が表示される。
（ニ）内蓋、外蓋に隣接してフラップを対にして設けられ、前記外蓋のタグの位置に対応する前記内蓋の一部に窓が開口され、前記外蓋のタグの位置に対応する前記フラップに開封済みの文字又は開封済みを意味する表記が付され、前記タグの立ち上がりとともに、前記フラップの前記開封済みの文字又は開封済みを意味する表記が前記内蓋の前記窓を通して表示される。
【発明の効果】
【００１１】
本発明（１）の開封済表示タグ付き包装用箱によれば、箱の開封に際し、他方の側面板の破断部を外蓋とともに破断線に沿って他方の側面板から切り離すことにより、外蓋が開封されると同時に、外蓋の一部が箱の開封済みを表すタグとして立ち上げられるようにしたので、箱の開封と同時に箱が開封済みであることを簡単に表示でき、保管棚や保管ケースに保管中の箱の中から開封済みの箱であることを即時視認することができる、という本発明独自の格別な効果を奏する。
本発明（２）の開封済表示タグ付き包装用箱によれば、箱の開封に際し、他方の側面板の破断部を外蓋とともに破断線に沿って他方の側面板から切り離すことにより、外蓋が開封されると同時に、外蓋の２箇所の各部がそれぞれ箱の開封済みを表すタグとして立ち上げられるようにしたので、箱の開封と同時に箱が開封済みであることを簡単に表示でき、保管棚や保管ケースに保管中の箱の中から開封済みの箱であることを即時視認することができる、という本発明独自の格別な効果を奏する。
【図面の簡単な説明】
【００１２】
【図１】本発明の第１の実施の形態における開封済表示タグ付き包装用箱の全体構成を示す斜視図
【図２】同包装用箱の開封と同時にタグが立ち上げられる状態を示す斜視図
【図３】同包装用箱の組み立て前の紙基材を示す平面図（展開図）
【図４】同包装用箱の開封後、蓋（内蓋、外蓋）が閉じられ、開封済を表すタグが立ち上げられた状態を示す斜視図
【図５】同包装用箱の開封後、開封済を表すタグが立ち上げられたことにより、内蓋に付された開封済の文字が外部に表示された状態を示す斜視図
【図６】同包装用箱の開封済みの文字又は開封済みを意味する表記の表示形式の変更例を示す平面図（展開図）
【図７】同包装用箱の開封済みの文字又は開封済みを意味する表記の表示形式の変更を示す斜視図
【図８】同包装用箱の開封済みの文字又は開封済みを意味する表記の表示形式の変更例を示す平面図（展開図）
【図９】同包装用箱の開封済みの文字又は開封済みを意味する表記の表示形式の変更例を示す平面図（展開図）
【図１０】本発明の第２の実施の形態における開封済表示タグ付き包装用箱の組み立て前の紙基材を示す平面図（展開図）
【発明を実施するための形態】
【００１３】
次に、この発明を実施するための形態について図を用いて説明する。
図１、図２に第１の実施の形態を示している。
図１、図２に示すように、開封済表示タグ付き包装用箱Ｂ１（以下、単に包装用箱Ｂ１、箱Ｂ１と称する場合がある。）は、箱Ｂ１の長手方向両端の少なくとも一方が物品を取り出すための開口１０で、この開口１０は相互に対向する２側面板１４、１２の一方の側面板１４の端縁部から延びる内蓋２２と、他方の側面板１２の端縁部から延び、内蓋２２の上に接着剤を介して接着される外蓋２０とにより封止され、他方の側面板１２と外蓋２０との間に破断線Ｃ１を有し、外蓋２０を破断線Ｃ１に沿って他方の側面板１２から切り離すことによって開封する形式を採用するもので、この箱Ｂ１では、特に、破断線Ｃ１は、他方の側面板１２の外蓋２０側の端部に、他方の側面板１２の端縁部の一端と、他方の側面板１２の端縁部の両端間の任意の中間点とを切り込み端として略溝形形状に切り込まれる他方の側面板１２の切り取り線Ｃ１１と、外蓋２０に、他方の側面板１２の切り取り線Ｃ１１の任意の中間点の切り込み端に連続して他方の側面板１２の切り取り線Ｃ１１から離れる方向に他方の側面板１２の端縁部に隣接する外蓋２０の側縁部まで略Ｌ字形に切り込まれる外蓋２０の切り取り線Ｃ１２とからなり、この破断線Ｃ１により、他方の側面板１２の切り取り線Ｃ１１と他方の側面板１２の端縁部とで囲まれる他方の側面板１２の一部が破断部１２１として他方の側面板１２から切り離し可能に形成されるとともに、外蓋２０の切り取り線Ｃ１２と他方の側面板１２の端縁部とで囲まれる外蓋２０の一部が破断部１２１の切り離しに続けて外蓋２０を外蓋２０の切り取り線Ｃ１２に沿って他方の側面板１２から切り離すことによりタグ２０１として立ち上がり可能に形成される。
【００１４】
この包装用箱Ｂ１の場合、箱Ｂ１は、所謂板紙と呼ばれる比較的厚さがあり直立性のある紙材により形成され、４側面１１−１４（右側面板１１、他方の側面板１２に当たる正面板１２、左側面板１３、一方の側面板１４に当たる背面板１４）と、これら４側面１１−１４の一端の開口１０を封じる一端側（この場合、上端側）の２つのフラップ１６、１８（右フラップ１６、左フラップ１８）、及び内蓋２２、外蓋２０と、他端の開口（図示省略）を封じる他端側（この場合、下端側）の２つのフラップ１７、１９（右フラップ１７、左フラップ１９（図３参照））、及び内蓋２３、外蓋２１（図３参照）とを備える。
この場合、４側面１１−１４はそれぞれ縦（上下方向）に長い長方形に形成される。４側面１１−１４の上端の、２つのフラップ１６、１８はそれぞれ略台形に形成され、内蓋２１は略四角形に形成され、外蓋は略台形に形成される。４側面１１−１４の、下端の２つのフラップ１７、１９はそれぞれ略台形に形成され、内蓋２０は略四角形に形成され、外蓋は略台形に形成される。
このようにして箱Ｂ１は、上下端の各開口１０がそれぞれ、相互に対向する一方の２側面板１１、１３、この場合、左右の各側面板１１、１３から延びる２つのフラップ１６，１７、１８，１９、及び相互に対向する他方の２側面板１４、１２、この場合、背面板１４、正面板１２から延びる内蓋２２，２３、外蓋２０，２１により閉じられ、内蓋２２，２３と外蓋２０，２１が接着剤により接着されて封じられ、全体として縦に長い直方体状に構成される。
そして、包装用箱Ｂ１は、箱Ｂ１の長手方向両端の少なくとも一方、この場合、上端の開口１０が物品を取り出すための開口１０で、この開口１０が背面板１４から延びる内蓋２２と、正面板１２から延び、内蓋２２の上に接着剤を介して接着される外蓋２０とにより封止され、外蓋２０を正面板１２から外蓋２０と正面板１２との間に切り込まれた破断線Ｃ１に沿って切り離すことによって、箱Ｂ１を開封するようになっている。
【００１５】
この箱Ｂ１には、正面板１２の切り取り線Ｃ１１と外蓋２０の切り取り線Ｃ１２からなる破断線Ｃ１が切り込まれる。正面板１２の切り取り線Ｃ１１は、正面板１２の外蓋２０側の端部、つまり上端部に、正面板１２の上端縁部の一端、この場合、右端と、正面板１２の上端縁部の両端間任意の中間点、この場合、略中央とを切り込み端として略溝形形状に切り込まれる。外蓋２０の切り取り線Ｃ１２は、外蓋２０に、正面板１２の切り取り線Ｃ１１の中央の切り込み端に連続して正面板１２の切り取り線Ｃ１１から離れる方向に正面板１２の上端縁部に隣接する外蓋２０の左側縁部まで略Ｌ字形に切り込まれる。
この破断線Ｃ１により、この箱Ｂ１には、正面板１２の切り取り線Ｃ１１と正面板１２の上端縁部とで囲まれた正面板１２の一部が破断部１２１として正面板１２から切り離し可能に形成されるとともに、外蓋２０の切り取り線Ｃ１２と正面板１２の上端縁部とで囲まれた外蓋２０の一部が破断部１２１の切り離しに続けて外蓋２０を外蓋２０の切り取り線Ｃ１２に沿って正面板１２から切り離すことによりタグ２０１として（紙の持つ弾性により）立ち上がり可能に形成される。タグ２０１は外蓋２０の切り取り線Ｃ１２の形状から略台形に形成されるが、この場合、外蓋２０の切り取り線Ｃ１２が少し丸みを帯びる曲線状に切り込まれ、略台形の角、特に、立ち上がり側の上縁部両端の角を丸くして（アールを付けて）、全体として丸みを帯びた略台形に形成される。
【００１６】
また、この箱Ｂ１には、タグ２０１を正面板１２から切り取り可能に正面板１２の上端縁部上で正面板１２とタグ２０１との間にタグ切り取り線Ｃ２がミシン目加工により直線状に切り込まれる。
【００１７】
このようにして包装用箱Ｂ１は、箱Ｂ１の開封に際し、正面板１２の破断部１２１を外蓋２０とともに破断線Ｃ１に沿って正面板１２から切り離すことにより、外蓋２０が開封されると同時に、外蓋２０の一部が箱Ｂ１の開封済みを表すタグ２０１として立ち上げられるようになっている。
【００１８】
この包装用箱Ｂ１は、一枚のブランクシートから一体的に打ち抜かれて形成された一枚の紙基材（Ｐ１）からなり、この紙基材（Ｐ１）は各部が所定の順序で折り曲げられ、所定の各接着位置が接着固定されて組み立てられる。
図３にこの紙基材Ｐ１を示している。なお、この図３には紙基材Ｐ１の表面（組み立て後に表側となる面）が現れている。
図３に示すように、この紙基材Ｐ１は、全体が上下方向に長い直方体形状に組み立て可能に、直方体形状に組み立て後の状態で、右側面板１１、正面板１２、左側面板１３、背面板１４、及び右側面板１１に重合されて背面板１４と右側面板１１との連結板１５をなす相互に折れ線Ｌ１−Ｌ４を介して連接して形成される４側面板形状部Ｐ１１−Ｐ１５（右側面板形状部Ｐ１１、正面板形状部Ｐ１２、左側面板形状部Ｐ１３、背面板形状部Ｐ１４、及び連結板形状部Ｐ１５）と、右側面板形状部Ｐ１１及び左側面板形状部Ｐ１３の上下方向（長手方向）の両端にそれぞれ折れ線Ｌ５，Ｌ６及びＬ７，Ｌ８を介して形成され、直方体形状に組み立て後の状態で上端側の右フラップ１６、下端側の右フラップ１７及び上端側の左フラップ１８、下端側の左フラップ１９をなす上端側の右フラップ形状部Ｐ１６、下端側の右フラップ形状部Ｐ１７及び上端側の左フラップ形状部Ｐ１８、下端側の左フラップ形状部Ｐ１９と、正面板形状部Ｐ１２の上下方向の両端にそれぞれ折れ線Ｌ９、Ｌ１０を介して形成され、直方体形状に組み立て後の状態で上端側の外蓋２０をなす外蓋形状部Ｐ２０、下端側の外蓋２１をなす外蓋形状部Ｐ２１、背面板形状部Ｐ１４の上下方向の両端にそれぞれ折れ線Ｌ１１、Ｌ１２を介して形成され、直方体形状に組み立て後の状態で上端側の内蓋２２をなす内蓋形状部Ｐ２２、下端側の内蓋２３をなす内蓋形状部Ｐ２３と、内蓋形状部Ｐ２２の先端延長上に折れ線Ｌ１３を介して連続して形成され、上端側の内蓋２２の差し込み片２２１をなす差し込み片形状部Ｐ２２１と、を有する。
この場合、４側面板形状部Ｐ１１−Ｐ１５はそれぞれ上下に長い長方形に形成され、正面板形状部Ｐ１２、背面板形状部Ｐ１４がそれぞれ右側面板形状部Ｐ１１、左側面板形状部Ｐ１３よりも少し幅広に形成される。なお、連結板形状部Ｐ１５は背面板形状部Ｐ１４の左側縁部に沿って略台形に右側面形状部Ｐ１１よりも幅狭に形成される。上端側、下端側のフラップ形状部Ｐ１６、Ｐ１７、Ｐ１８、Ｐ１９はそれぞれ略台形状に形成され、外蓋形状部Ｐ２０、Ｐ２１の長さ（高さ）のおよそ半分程の長さ（高さ）に形成される。上端側、下端側の外蓋形状部Ｐ２０、Ｐ２１はそれぞれ略台形に形成され、上端側の内蓋形状部Ｐ２２の長さ（高さ）よりも少しだけ短く（低く）、下端側の内蓋形状部Ｐ２３の長さ（高さ）よりも少しだけ長く（高く）形成される。上端側、下端側の内蓋形状部Ｐ２２（差し込み片形状部Ｐ２２１を除く）、Ｐ２３はそれぞれ略四角形状に形成され、上端側の内蓋形状部Ｐ２２は箱Ｂ１の上端側の開口１０と略同じ大きさに形成され、下端側の内蓋形状部Ｐ２３は上端側の内蓋形状部Ｐ２２の長さ（高さ）よりも少しだけ短く（低く）形成される。なお、上端側の内蓋形状部Ｐ２２の差し込み片形状部Ｐ２２１は適宜大きさの横長の帯状（この場合、半レーストラック形状）に形成される。
また、この場合、正面板形状部Ｐ１２の上端部で一方の側部側の半面、この場合、右側部側の半面に、破断線Ｃ１の一部をなす正面板１２の切り取り線Ｃ１１が、ミシン目加工により、上底が下底よりも長い略台形の溝形に形成される。なお、この切り取り線Ｃ１１は一端（一方の切り取り端）が正面板形状部Ｐ１２の上端縁部（折れ線Ｌ９）の右端まで延び、他端（他方の切り取り端）が正面板形状部Ｐ１２の上端縁部（折れ線Ｌ９）の両端間略中央まで延びる。かくして破断部１２１が正面板形状部Ｐ１２の上端縁部と右側縁部との間の一角に略台形に形成される。そして、上端側の外蓋形状部Ｐ２０に、破断線Ｃ１の残部をなす外蓋２０の切り取り線Ｃ１２が、ミシン目加工により、正面板１２の切り取り線Ｃ１１の他端、この場合、正面板形状部Ｐ１２の上端縁部中央の切り込み端に連続して、正面板１２の切り込み線Ｃ１１から離れる方向に、この場合、外蓋形状部Ｐ２０の上縁部に向けて外蓋形状部Ｐ２０の奥行き方向半分近くまで若干外蓋形状部Ｐ２０の左側縁部側に斜めに直線状に近い少し丸みを帯びた緩い曲線状に切り込まれ、そこからアールを付けて外蓋形状部Ｐ２０の左側縁部方向に、当該左側縁部まで直線状に近い緩い少し丸みを帯びた曲線状に切り込まれ、当該左縁部ではアールを付けて、全体として丸みを帯びた略Ｌ字形に形成される。かくしてタグ２０１が正面板形状部Ｐ１２の上端縁部と外蓋形状部Ｐ２０の左側縁部との間の一角に丸みを帯びた略台形に形成される。また併せて、正面板形状部Ｐ１２の上端縁部上で正面板形状部Ｐ１２とタグ２０１との間に、タグ切り取り線Ｃ２がミシン目加工により直線状に切り込まれる。
さらに、背面板形状部Ｐ１４の下端には、解体用の破断線Ｃ３が、ミシン目加工により、背面板形状部Ｐ１４の下端縁部の中央を中心として背面板形状部Ｐの下端縁部（折れ線Ｌ１２）から背面板形状部Ｐ１４内に略円弧状に切り込まれ、さらにその両端から背面板形状部Ｐ１４の下端縁部（折れ線Ｌ１２）上にその左右両端まで直線状に切り込まれる。このようにして箱Ｂ１を廃棄するときに、この破断線Ｃ３により、背面板形状部Ｐ１４から下端側の内蓋形状部Ｐ２３を切り離して、箱Ｂ１を折り畳みしやすくしてある。
なお、紙基材Ｐ１の正面板形状部Ｐ１２、背面板形状部Ｐ１４、右、左の各側面板形状部Ｐ１１、Ｐ１３、上下端の各外蓋形状部Ｐ２０、Ｐ２１の表面にはそれぞれ、医薬品に関する各種の情報（文字）や装飾用のデザインなどが印刷される。
【００１９】
かくして紙基材Ｐは各形状部Ｐ１１−Ｐ２２、Ｐ２２１が各折れ線Ｌ１−Ｌ１２、Ｌ１３を介して折り曲げられ、縦（上下方向）に長い直方体形状の箱形に組み立てられる。すなわち、正面板１２をなす正面板形状部Ｐ１２に対して右側面板形状部Ｐ１１が折れ線Ｌ１を介して直角に折り曲げられて右側面板１１をなし、同様に、正面板形状部Ｐ１２に対して左側面板形状部Ｐ１３が折れ線Ｌ２を介して直角に折り曲げられて左側面板１３をなし、この左側面板１３に対して背面板形状部Ｐ１４が折れ線Ｌ３を介して直角に折り曲げられて背面板１４をなす。そして、この背面板１４に対して連結板形状部Ｐ１５が折れ線Ｌ４を介して直角に折り曲げられ、右側面板１１の内側に重合されて連結板１５をなす。この右側面板１１の内側で右側面板１１と連結板１５が接着剤を介して連結され、これにより４側面１１−１４、１５が組み立てられる。この状態から、右、左の各側面板１１、１３の下端の右、左の各フラップ形状部Ｐ１７、Ｐ１９が折れ線Ｌ６、Ｌ８を介して直角に折り曲げられて右、左の各フラップ１７、１９をなし、背面板１４の下端の内蓋形状部Ｐ２３が折れ線Ｌ１２を介して直角に折り曲げられて内蓋２３をなし、そして、正面板１２の下端の外蓋形状部Ｐ２１が折れ線Ｌ１０を介して直角に折り曲げられて外蓋２１をなし、それぞれが底面で重合される。この底面の外蓋２１の内側で外蓋２１と内蓋２３が接着剤を介して連結され、底面が封止される。また、右、左の各側面板１１、１３の上端の右、左の各フラップ形状部Ｐ１６、Ｐ１８が折れ線Ｌ５、Ｌ７を介して直角に折り曲げられて右、左の各フラップ１６、１８をなし、背面板１４の上端の内蓋形状部Ｐ２２が折れ線Ｌ１１を介して直角に折り曲げられて内蓋２２をなし、差し込み片形状部Ｐ２２１が折れ線Ｌ１３を介して内側に略直角に折り曲げられて、差し込み片２２１が形成され、この差し込み片２２１が正面板１２の内側に差し込まれ、そして、正面板１２の上端の外蓋形状部Ｐ２０が折れ線Ｌ９を介して直角に折り曲げられて外蓋２０をなし、それぞれが天面で重合される。この天面の外蓋２０の内側で外蓋２０と内蓋２２が接着剤を介して連結され、天面が封止される。この場合、外蓋２０と内蓋２２は（正面側から見て）奥行き方向奥側の半面を接着剤により接着し、接着剤を外蓋２０の一部に形成されたタグ２０１には付着させず、このタグ２０１と内蓋２２とは接着しない。
このようにして紙基材Ｐ１から包装用箱Ｂ１が直方体形状の箱形に組み立てられ、正面板１２と上端側の外蓋２０との間には、破断線Ｃ１が、外蓋２０を正面板１２から切り離して開封可能にかつ、この外蓋２０の開封とともに、外蓋２０の一部が開封済を表示するためのタグ２０１として（紙の持つ弾性により）立ち上がり可能に形成される。
【００２０】
さらに、この包装用箱Ｂ１には、図３に示すように、外蓋２０のタグ２０１の位置に対応する内蓋２２（内蓋形状部Ｐ２２）の一部に開封済みの文字又は開封済みを意味する表記が付される。この場合、内蓋２２の右側縁部と差し込み片２２１側の端縁部（折れ線Ｌ１３）との間の一角に「開封済」の文字が印刷により記入される。なお、開封済みを意味する表記としては例えば色や図画などとすることができる。色や図画とする場合は、箱Ｂ１の外蓋２０の色や図柄とは異なるものが好ましい。
このようにして正面板１２の破断部１２１を切り取り線Ｃ１１に沿って正面板１２から切り離し、外蓋２０を切り取り線Ｃ１２に沿って正面板１２から切り離すことによって、外蓋２０を開封し、外蓋２０の一部が箱Ｂ１の開封済みを表すタグとして立ち上がり、このタグ２０１の立ち上がりにより現れる内蓋２２の一角に付された「開封済」の文字が外部に表示されるようになっている。
【００２１】
包装用箱Ｂ１はこのようにして構成され、錠剤やカプセルなどの医薬品が複数個ずつ１枚のＰＴＰシート（プレススルーパックシート）に収納されて、このＰＴＰシートが所定の枚数ずつアルミ包材パックに封入された状態で、この包装用箱Ｂ１に包装され、医療機関などへ供給される。
そして、医療機関では、この包装用箱Ｂ１に収容された医薬品を使用するため、包装用箱Ｂ１を開封する際に、図１、図２に示すように、正面板１２の破断部１２１を外蓋２０とともに破断線Ｃ１（正面板１２の切り取り線Ｃ１１と外蓋２０の切り取り線Ｃ１２）に沿って正面板１２から切り離すことにより、外蓋２０が開封され、同時に、外蓋２０の一角が箱Ｂの開封済みを表すタグ２０１として立ち上げられ、さらに、外蓋２０の一角からタグ２０１が立ち上げられることで、内蓋２２の一角が外部に現れ、内蓋２２の一角に付された「開封済」の文字が表示される。そして、この箱Ｂ１の天面の外蓋２０及び内蓋２２、左右の各フラップ１６、１８を順次開いて、医薬品が取り出されると、再び、左右の各フラップ１６、１８、内蓋２２及び外蓋２０を順次閉じ、内蓋２２の差し込み片２２１を正面板１２の内側に差し込んで、箱Ｂ１は再封される。再封後も、図４に示すように、外蓋２０の一角に箱Ｂ１の開封済みを表すタグ２０１が立ち上げられ、図５に示すように、外蓋２０の一角からタグ２０１が立ち上げられたことで、内蓋２２の一角が外部に現れ、内蓋２２の一角に付された「開封済」の文字が表示される。再封後、この箱Ｂ１は保管棚や保管ケースの引き出しに収納されることになる。この場合、箱Ｂ１が、保管棚には箱Ｂの長手方向を奥行き方向に向けて横置きにして多段的に積み重ねられ、保管ケースの引き出しの中には箱Ｂの長手方向を引き出しの上下方向に向けて縦置きにして並列に並べられると、保管棚上の箱Ｂ１は面積の小さい外蓋２０が前方に向けられ、引き出しの中の箱Ｂ１は面積の小さい外蓋２０が上方に向けられて、箱Ｂ１の外蓋から立ち上げられたタグ２０１、及びタグ２０１の立ち上がりにより外部に現れた内蓋２２の「開封済」の文字で、この医薬品の箱Ｂ１が開封済みか未開封かの区別がつきやすくなり、未使用（未開封）のものを使用中のものと誤って開封してしまうのを防ぐことができる。
なお、箱Ｂ１の開封後、タグ２０１が不要になったり邪魔になったりする場合は、タグ２０１をタグ切り取り線Ｃ２に沿って簡単に切り取ることができる。
【００２２】
以上説明したように、この開封済表示タグ付き包装用箱Ｂ１によれば、箱Ｂ１の開封に際し、正面板１２の破断部１２１を外蓋２０とともに破断線Ｃ１に沿って正面板１２から切り離すことにより、外蓋２０が開封されると同時に、外蓋２０の一部が箱Ｂ１の開封済みを表すタグ２０１として立ち上げられるようにしたので、箱Ｂ１の開封と同時に箱Ｂ１が開封済みであることを簡単に表示でき、保管棚や保管ケースに保管中の箱の中から開封済みの箱であることを即時視認することができ、未使用（未開封）のものを使用中のものと誤って開封してしまうのを防止することができる。
さらに、この箱Ｂでは、外蓋２０のタグ２０１の位置に対応する内蓋２２の一部に「開封済」の文字が付され、タグ２０１の立ち上がりとともに、内蓋２２の「開封済」の文字が外部に表示されるようにしたので、この表示を使っても、箱Ｂ１の開封済みを即座に確認することができる。
なお、この箱Ｂ１は一度開封されると、タグ２０１が立ち上がったまま、内蓋２２の「開封済」の表示はそのままで、元に戻らないため、改竄防止に活用することもできる。
【００２３】
なお、この実施の形態では、外蓋２０のタグ２０１の位置に対応する内蓋２２の一部に「開封済」の文字（開封済みを意味する表記でも可。）が付され、タグ２０１の立ち上がりとともに、この内蓋２２の「開封済」の文字が表示されるようにしているが、この「開封済」の文字（又は開封済みを意味する表記）の表示形式は種々に変更可能である。
図６、図８、図９にその変更例を示している。これらの変更例は、紙基材の図で例示しているが、図示のとおり、いずれの変更例でも、紙基材Ｐ２−Ｐ４それ自体の構成（４側面板形状部他各部の形状部の構成）は箱Ｂ１のもの（紙基材Ｐ１）と共通であり、その組み立て後の箱としての全体構成は箱Ｂ１と同じである。よって、ここでは、箱Ｂ１と共通の構成については箱Ｂ１と同じ符号を付してその説明を省略し、「開封済」の文字又は開封済みを意味する表記の表示形式についてのみ説明する。
【００２４】
図６は上端側の内蓋２２の差し込み片２２１に「開封済」の文字（又は開封済みを意味する表記）を付し、正面板１２の上端部から表示する場合を示している。
この場合、正面板１２の外蓋２０側の端部、つまり上端部に、正面板１２の切り取り線Ｃ１１に隣接して上端部のさらに一部、この場合、左側部側の半面を開口部２４として切り取り可能に、正面板１２の開口部切り取り線Ｃ４がミシン目加工により切り込まれ、内蓋２２先端の差し込み片２２１の正面板１２の開口部２４（となる部分）に対応する部分に「開封済」の文字（又は開封済みを意味する表記）が付される。
このようにして、図７に示すように、タグ２０１とともに正面板１２の上端部の一部を開口部切り取り線Ｃ４に沿って切り取ることにより、正面板１２の上端部に形成された開口部２４を通して差し込み片２２１の「開封済」の文字（又は開封済みを意味する表記）が表示される。
このようにしてもタグ２０１の立ち上がりとともに、箱Ｂ２の開封済みを即座に確認することができる。
【００２５】
図８もまた上端側の内蓋２２の差し込み片２２１に「開封済」の文字（又は開封済みを意味する表記）を付し、正面板１２の上端部から表示する場合を示している。
この場合、正面板１２の上端部の破断部１２１を正面板１２から切り取り可能に、正面板１２の上端縁部上で外蓋２０と破断部１２１との間に、破断部切り取り線Ｃ５がミシン目加工により切り込まれ、内蓋２２先端の差し込み片２２１の破断部１２１に対応する部分に「開封済」の文字（又は開封済みを意味する表記）が付される。
このようにして正面板１２の上端部から破断部１２１を切り取ることにより、正面板１２の破断部１２１の切り取り後の開口部２５を通して差し込み片２２１の「開封済」の文字（又は開封済みを意味する表記）が表示される。
このようにしてもタグ２０１の立ち上がりとともに、箱Ｂ３の開封済みを即座に確認することができる。
【００２６】
図９は上端側のフラップ１８に「開封済」の文字（又は開封済みを意味する表記）を付し、外蓋２０からタグ２０１の立ち上がりにより、内蓋２２、外蓋２０を通して表示する場合を示している。
この場合、外蓋２０のタグ２０１の位置に対応する内蓋２２の一部に窓２６が開口され、外蓋２０のタグ２０１の位置に対応する一方のフラップ、この場合、上端側の左フラップ１８に「開封済」の文字（又は開封済みを意味する表記）が付され、タグ２０１の立ち上がりとともに、左フラップ１８の「開封済」の文字（又は開封済みを意味する表記）が内蓋２２の窓２６を通して表示される。
このようにしてもタグ２０１の立ち上がりとともに、箱Ｂ４の開封済みを即座に確認することができる。
【００２７】
図１０に第２の実施の形態を示している。
なお、この実施の形態は、紙基材の図で例示しているが、図示のとおり、この場合も、紙基材それ自体の構成（４側面板形状部他各部の形状部の構成）は箱Ｂ１のもの（紙基材Ｐ１）と共通であり、組み立て後の箱としての全体構成は箱Ｂ１と同じである。この実施の形態では、破断線とこの破断線によって形成される破断部及びタグの構成のみが箱Ｂ１と異なる。ここでは、箱Ｂ１と共通の構成については箱Ｂ１と同じ符号を付してその説明を省略し、破断線とこの破断線によって形成される破断部及びタグの構成についてのみ説明する。
【００２８】
図１０に示すように、この箱Ｂ５では、破断線Ｃ６は、正面板（他方の側面板）１２の外蓋２０側の端部、つまり上端部に、正面板（他方の側面板）１２の上端縁部の両端間の任意の２点を切り込み端として略溝形形状に切り込まれる正面板（他方の側面板）１２の切り取り線Ｃ６１と、外蓋２０に、正面板（他方の側面板）１２の切り取り線Ｃ６１の２点の切り込み端に連続して正面板（他方の側面板）１２の切り取り線Ｃ６１から離れる方向に正面板（他方の側面板）１２の上端縁部に隣接する外蓋２０の左右両側縁部まで略Ｌ字形に切り込まれる外蓋２０の２本の切り取り線Ｃ６２とからなる。
この破断線Ｃ６により、正面板（他方の側面板）１２の切り取り線Ｃ６１と正面板（他方の側面板）１２の上端縁部とで囲まれる正面板（他方の側面板）１２の一部が破断部１２２として正面板（他方の側面板）１２から切り離し可能に形成されるとともに、外蓋２０の２本の切り取り線Ｃ６２と正面板（他方の側面板）１２の上端縁部とで囲まれた外蓋２０の２箇所の各部が破断部１２２の切り離しに続けて外蓋２０を外蓋２０の各切り取り線Ｃ６２に沿って正面板（他方の側面板）１２から切り離すことにより２つのタグ２０２として立ち上がり可能に形成される。
この場合、各タグ２０２は、第１の実施の形態と同様に、外蓋２０に略台形に角を丸くして形成される。
また、この場合、第１の実施の形態と同様に、各タグ２０２を正面板（他方の側面板）１２から切り取り可能に正面板（他方の側面板）１２の上端縁部上で正面板（他方の側面板）１２と各タグ２０２との間にタグ切り取り線Ｃ７が切り込まれる。
かくして、箱Ｂ５の開封に際し、正面板（他方の側面板）１２の破断部１２２を外蓋２０とともに破断線Ｃ６に沿って正面板（他方の側面板）１２から切り離すことにより、外蓋２０が開封されると同時に、外蓋２０の２箇所の各部がそれぞれ箱Ｂ２の開封済みを表す２つのタグ２０２として立ち上げられるようになっている。
【００２９】
このように開封済表示タグ付き包装用箱Ｂ５によれば、箱Ｂ５の開封に際し、正面板（他方の側面板）１２の破断部１２２を外蓋２０とともに破断線Ｃ６に沿って正面板（他方の側面板）１２から切り離すことにより、外蓋２０が開封されると同時に、外蓋２０の２箇所の各部がそれぞれ箱Ｂ５の開封済みを表すタグ２０２として立ち上げられるようにしたので、第１の実施の形態と同様に、箱Ｂ５の開封と同時に箱Ｂ５が開封済みであることを簡単に表示でき、保管棚や保管ケースに保管中の箱の中から開封済みの箱であることを即時視認することができる。
なお、この場合も、箱Ｂ５の開封後に、タグ２０２が不要になったり邪魔になったりする場合は、タグ２０２をタグ切り取り線Ｃ７に沿って簡単に切り取ることができる。
【００３０】
さらに、この包装用箱Ｂ５は、第１の実施の形態と同様に、次の構成のいずれかを備えることができる。
（１）図１０において（図３を併せて参照）、外蓋２０の各タグ２０２の位置に対応する内蓋２２の各一部に「開封済」の文字又は開封済みを意味する表記が付される。この場合、内蓋２２の右側縁部と差し込み片２２１側の端縁部（折れ線Ｌ１３）との間の一角と内蓋２２の左側縁部と差し込み片２２１側の端縁部（折れ線Ｌ１３）との間の一角にそれぞれ、「開封済」の文字又は開封済みを意味する表記が印刷により記入される。なお、開封済みを意味する表記としては例えば色や図画などとすることができる。色や図画とする場合は、箱の外蓋の色や図柄とは異なるものが好ましい。
このようにして正面板１２の破断部１２２を外蓋２０とともに破断線Ｃ６に沿って正面板１２から切り離すことにより、外蓋２０が開封されると同時に、外蓋２０の２箇所の各部がそれぞれ箱Ｂ５の開封済みを表すタグ２０２として立ち上げられると、このタグ２０２の立ち上がりにより現れる内蓋２２の各一角に付された「開封済」の文字又は開封済みを意味する表記が表示されるようにする。
このようにしても各タグ２０２の立ち上がりとともに、箱Ｂ５の開封済みを即座に確認することができる。
（２）図１０において（図６を併せて参照）、正面板（他方の側面板）１２の外蓋２０側の端部、つまり上端部に、正面板（他方の側面板）１２の切り取り線Ｃ６１に隣接して正面板（他方の側面板）１２の上端部のさらに一部を開口部として切り取り可能に正面板（他方の側面板）１２の開口部切り取り線が切り込まれ、内蓋２２の差し込み片２２１の正面板（他方の側面板）１２の開口部となる一部に対応する部分に「開封済」の文字又は開封済みを意味する表記が付される。
このようにして正面板（他方の側面板）１２上端部の開口部となる一部を開口部切り取り線に沿って切り取ることにより、内蓋２２の差し込み片２２１の「開封済」の文字又は開封済みを意味する表記が表示されるようにする。
このようにしてもタグ２０２の立ち上がりとともに、箱Ｂ５の開封済みを即座に確認することができる。
（３）図１０において（図８を併せて参照）、破断部１２２を正面板１２から切り取り可能に正面板の上端縁部上で外蓋２０と破断部１２２との間に破断部切り取り線が切り込まれ、内蓋２２先端の差し込み片２２１の破断部１２２に対応する部分に「開封済」の文字又は開封済みを意味する表記が付される。
このようにして破断部１２２の切り離しにより、差し込み片２２１の「開封済」の文字又は開封済みを意味する表記が表示されるようにする。
このようにしてもタグ２０２の立ち上がりとともに、箱Ｂ５の開封済みを即座に確認することができる。
（４）図１０において（図９を併せて参照）、外蓋２０の各タグ２０２の位置に対応する内蓋２２の各一部に窓が開口され、外蓋２０の各タグ２０２の位置に対応する各フラップ１６、１８の一部に「開封済」の文字又は開封済みを意味する表記が付される。
このようにして各タグ２０２の立ち上がりとともに、各フラップ１６、１８の「開封済」の文字又は開封済みを意味する表記が内蓋２２の各窓を通して表示されるようにする。
このようにしても各タグ２０２の立ち上がりとともに、箱Ｂ５の開封済みを即座に確認することができる。
【００３１】
なお、上記各実施の形態では、内蓋２２やフラップ１６、１８の面に「開封済」の日本語の文字を表示するものとしたが、「ＯＰＥＮ」などの英語表記でもよく、さらに、開封済みを意味する表記であれば、文字のみでなく、色、マーク、図画又はこれらの組み合わせであってもよい。このようにしても上記と同様の作用効果を得ることかできる。
また、上記各実施の形態では、医薬品を包装するのに使用する開封済表示タグ付き包装用箱を例示したが、本発明の開封済表示タグ付き包装用箱は、医薬品に関らず、各種の物品を包装する箱にも同様に適用でき、同様の作用効果を奏することは勿論である。
【符号の説明】
【００３２】
Ｂ１  開封済表示タグ付き包装用箱
１０  開口
１１  右側面板
１２  正面板
１２１  破断部
１３  左側面板
１４  背面板
１５  連結板
１６  右フラップ
１７  右フラップ
１８  左フラップ
１９  左フラップ
２０  外蓋
２０１  タグ
２１  外蓋
２２  内蓋
２２１  差し込み片
２３  内蓋
２４  開口部
２５  開口部
２６  窓
Ｐ１  紙基材
Ｐ１１  右側面板形状部
Ｐ１２  正面板形状部
Ｐ１３  左側面板形状部
Ｐ１４  背面板形状部
Ｐ１５  連結板形状部
Ｐ１６  右フラップ形状部
Ｐ１７  右フラップ形状部
Ｐ１８  左フラップ形状部
Ｐ１９  左フラップ形状部
Ｐ２０  外蓋形状部
Ｐ２１  外蓋形状部
Ｐ２２  内蓋形状部
Ｐ２２１  差し込み片形状部
Ｐ２３  内蓋形状部
Ｌ１−Ｌ１３  折れ線
Ｃ１  破断線
Ｃ１１  正面板の切り取り線（他方の側面板の切り取り線）
Ｃ１２  外蓋の切り取り線
Ｃ２  タグ切り取り線
Ｃ３  解体用の破断線
Ｃ４  開口部切り取り線
Ｃ５  破断部切り取り線
Ｂ５  開封済表示タグ付き包装用箱
１２２  破断部
２０２  タグ
Ｃ６  破断線
Ｃ６１  正面板の切り取り線
Ｃ６２  外蓋の２本の切り取り線
Ｃ７  タグ切り取り線
【図１】
2019209993.tif 000003
【図２】
2019209993.tif 000004
【図３】
2019209993.tif 000005
【図４】
2019209993.tif 000006
【図５】
2019209993.tif 000007
【図６】
2019209993.tif 000008
【図７】
2019209993.tif 000009
【図８】
2019209993.tif 000010
【図９】
2019209993.tif 000011
【図１０】
2019209993.tif 000012